(57)【要約】【課題】コーナー部材と壁材との間の水密性を確保しつつ、このコーナー部材と壁材との接続部分における外観悪化の発生を抑制して統一した外観を呈することができる建物の出隅構造を提供する。【解決手段】建物の下地材３の出隅部分に断面Ｌ字状のコーナー部材１を敷設する。このコーナー部材１の側方に壁材２を敷設する。前記コーナー部材１の外側端面の下地材３側に下実部４を突設する。この下実部４の屋外側に壁材２の側端縁を重ねた状態でコーナー部材１と壁材２とを突き合わせる。コーナー部材１と壁材２との接続部分を通じた水の浸入が阻害されることとなり、高い水密性を確保することができる。また、壁材２とコーナー部材１とが突き合わさって一体化した印象を与え、目地やシーリング材が露出することがなくなって、統一した外観を呈する。【選択図】図１
2008163601.tif 000002
【特許請求の範囲】
【請求項１】
建物の下地材の出隅部分に断面Ｌ字状のコーナー部材を敷設し、このコーナー部材の側方に壁材を敷設した建物の出隅構造であって、前記コーナー部材の外側端面の下地材側に下実部を突設し、この下実部の屋外側に壁材の側端縁を重ねた状態でコーナー部材と壁材とを突き合わせて成ることを特徴とする建物の出隅構造。
【請求項２】
壁材と下地材との間にスペーサを介装して成ることを特徴とする請求項１に記載の建物の出隅構造。
【発明の詳細な説明】
【技術分野】
【０００１】
本発明は、建物の出隅構造に関するものである。
【背景技術】
【０００２】
従来、建物の外装材を敷設するにあたっては、建物の下地材３に平板状の壁材２を敷設すると共に、その出隅部分に前記壁材２と同質材料で形成されたコーナー部材１を敷設することが行われている。
【０００３】
従来における建物の出隅構造の一例を図６に示す。この例では、建物の下地材３は、柱３ａ等からなる建物の軸組などで構成され、その外面にはコーナー部材１や壁材２を取り付けるための縦方向に長い取付部材２４（縦胴縁）が、柱３ａの外面や、柱３ａに沿って配設された添木３ｂの外面等に敷設されている。
【０００４】
コーナー部材１は二つの側片６，６を接合した形状を有する断面Ｌ字状に形成されており、このコーナー部材１が取付金具９を介して、建物の出隅部分において上記取付部材２４に取り付けられている。
【０００５】
壁材２は、その側端面をコーナー部材１の側片６，６の側端面と対向させた状態で、取付金具９を介して取付部材２４に取り付けられている。
【０００６】
このとき、コーナー部材１の側端面と壁材２の側端面との間には間隔が開けられて目地２５が設けられると共に、ハット型ジョイナー２７を設け、前記目地２５にシーリング材２６を充填してシーリングが施されている。
【０００７】
このとき、壁材２は取付部材２４を介して建物の下地材３に敷設されていることから、下地材３と壁材２との間には縦方向の通気経路１９が形成されている。
【０００８】
同様の建物の出隅構造は、特許文献１等にも開示されている。
【特許文献１】特開平１１−３２４２６９号公報
【発明の開示】
【発明が解決しようとする課題】
【０００９】
しかし、上記従来技術では、コーナー部材１と壁材２との間に目地２５が形成されると共に、この目地２５はシーリング材２６が充填されていることから、コーナー部材１と壁材２とを同質材料にて構成しても、目地２５によって外観の統一が得られなくなるおそれがあり、またこの目地２５に露出するシーリング材２６の色が露見するため、更に外観の統一性が損なわれるおそれがある。このため、コーナー部材１と壁材２とを隣接させて敷設する場合の外観の悪化発生の原因となっていた。
【００１０】
一方、ハット型ジョイナー２７やシーリング材２６を用いずにコーナー部材１と壁材２の側端面同士を突き合わせただけでは、十分な水密性を得ることが困難であった。
【００１１】
本発明は上記の点に鑑みて為されたものであり、コーナー部材と壁材との間の水密性を確保しつつ、このコーナー部材と壁材との接続部分における外観悪化の発生を抑制して統一した外観を呈することができる建物の出隅構造を提供することを目的とする。
【課題を解決するための手段】
【００１２】
請求項１に係る建物の出隅構造は、建物の下地材３の出隅部分に断面Ｌ字状のコーナー部材１を敷設し、このコーナー部材１の側方に壁材２を敷設した建物の出隅構造であって、前記コーナー部材１の外側端面の下地材３側に下実部４を突設し、この下実部４の屋外側に壁材２の側端縁を重ねた状態でコーナー部材１と壁材２とを突き合わせて成ることを特徴とする。
【００１３】
請求項２に係る発明は、壁材２と下地材３との間にスペーサ５を介装して成ることを特徴とする。
【発明の効果】
【００１４】
請求項１に係る発明によれば、コーナー部材１と壁材２との接続部分を通じた水の浸入が阻害されることとなり、建物の外面側からこのコーナー部材１と壁材２との間を通じて内側に浸入しにくくなって、高い水密性を確保することができるものであり、しかも、この出隅構造の外観は、壁材２とコーナー部材１とが突き合わさって一体化した印象を与えることとなり、目地２５やシーリング材２６が露出することがなくなって、統一した外観を呈することとなる。
【００１５】
請求項２に係る発明によれば、壁材２と建物の下地材３との間にはスペーサ５によって隙間が確保され、この隙間が通気経路１９として機能するものである。
【発明を実施するための最良の形態】
【００１６】
以下、本発明を実施するための最良の形態について、図１を参照して説明する。
【００１７】
コーナー部材１としては、二つの側片６，６を互いに直交する状態で結合した形状を有する断面Ｌ字状のものを用いることができる。コーナー部材１は適宜の材質のものを使用することができるが、例えばセメントを主成分とする窯業系材料で形成することができる。
【００１８】
このコーナー部材１の各側片６，６の側端面には下実部４がそれぞれ突設されている。下実部４は、前記各側片６，６の端面の下地材３側から、側片６，６の外側方へ向けて突出するように形成される。これにより、コーナー部材１の各側片６，６の側端縁の外面側には、断面Ｌ字状に切り欠いた形状を有する凹段部７が形成されている。
【００１９】
このコーナー部材１は、別途作製された二つの側片６，６の端縁を互いに直交するように突き合わせて接着したものであっても、押出成形等により一体成形したものであっても良い。
【００２０】
壁材２は平板状に形成される。壁材２は適宜の材質のものを使用することができるが、セメントを主成分とする窯業系材料で形成することができる。
【００２１】
この壁材２の厚みは、コーナー部材１の厚みから下実部４の厚みを差し引いた厚み（すなわち凹段部７の厚み）と同一とすることが好ましく、また後述するようにコーナー部材１と壁材２との間にシーリング材８を設ける場合には、前記厚みよりもシーリング材８の分だけ薄い厚みとすることが好ましい。
【００２２】
上記壁材２とコーナー部材１とは、同質材料にて形成されたものであることが好ましい。
【００２３】
このコーナー部材１及び壁材２は、柱３ａ等の軸組などで構成される建物の下地材３に敷設される。本実施形態では、建物のコーナー部分の下地材３は、柱３ａと、この柱３ａに添設された添木３ｂとで構成されている。コーナー部材１及び壁材２の敷設は、ビスや釘等の固着具を用いたり、適宜の取付金具を用いたりすることができる。本実施形態では取付金具を用いた敷設を例に挙げる。
【００２４】
図２はコーナー部材１を敷設するための取付金具９ａの一例を示す。この取付金具９ａは、例えば厚み０．８ｍｍ程度の金属板を曲げ加工などすることによって形成することができ、この金属板としては耐食性の高い亜鉛アルミニウムマグネシウム合金メッキ鋼板、ステンレス鋼板、アルミニウム板等の適宜の材質のものを用いることができる。図２（ａ）〜（ｃ）に示すように、取付金具９ａの表面の略中央部には下向き係止片１４が突設されている。下向き係止片１４は下方に突出する係止爪１４ａが設けられている。また、取付金具９ａの表面の下向き係止片１４を挟んだ両側には一対の上向き係止片１５が横方向に並んで突設されている。上向き係止片１５は上方に突出する係止爪１５ａを有する。この取付金具９ａの上向き係止片１５及び下向き係止片１４よりも上部は固定片１８として形成されており、この固定片１８には複数の取付孔１３が設けられている。さらに、取付金具９ａの両側部には表面側に向かって突出する支持部１２が設けられている。
【００２５】
この取付金具９ａの底面から支持部１２の外面までの寸法は薄い方が好ましく、例えば２〜５ｍｍの範囲であることが好ましい。
【００２６】
ここで、取付金具９ａの形態は上記のものに限られず、例えば二つ一組で用いられる上記各取付金具９ａの両端縁を平面視Ｌ字型に接合して一体化した形態に相当する取付金具９ａを用い、一つの取付金具９ａでコーナー部材１の各側片６，６をそれぞれ支持するようにしても良い。
【００２７】
図３は壁材２を敷設するための取付金具の９ｂの一例を示す。この取付金具９ｂは、図２に示す取付金具９ａと同様の材質にて形成することができる。この取付金具９ｂも、図２に示すものと同様に、取付金具９ｂの表面の略中央部には下向き係止片１４が突設されている。下向き係止片１４は下方に突出する係止爪１４ｂが設けられている。また、取付金具９ｂの表面の下向き係止片１４を挟んだ両側には一対の上向き係止片１５が横方向に並んで突設されている。上向き係止片１５は上方に突出する係止爪１５ｂを有する。この取付金具９ａの上向き係止片１５及び下向き係止片１４よりも上部は固定片１８として形成されており、この固定片１８には複数の取付孔１３が設けられている。さらに、取付金具９ｂの両側部には表面側に向かって突出する支持部１２が設けられている。
【００２８】
この取付金具９ｂの底面から支持部１２の外面までの寸法は、コーナー部材１を敷設するための取付金具９ａにおける底面から支持部１２の外面までの寸法に、壁材２の下実部４の厚み寸法を加算したものとなっている。
【００２９】
この取付金具９ｂは、壁材２を敷設する機能だけでなく、後述するように下地材３と壁材２との間に介装するスペーサ５としての機能も備える。
【００３０】
このような取付金具９ａ，９ｂにてコーナー部材１及び壁材２を敷設する場合には、コーナー部材１及び壁材２の上端に実部２０が突設されていると共に下端には覆い部２１が突設されている。また、コーナー部材１及び壁材２の下部には覆い部２１の後側において溝部２２が横方向に設けられている。
【００３１】
上記のようなコーナー部材１及び壁材２、並びに取付金具９ａ，９ｂを用い、建物の隅部にコーナー部材１を敷設すると共にその両側に壁材２を敷設する。
【００３２】
コーナー部材１及び壁材２を敷設するにあたっては、まず建物の隅部にコーナー部材１を敷設した後、このコーナー部材１の両側に壁材２を敷設する。その後、前記敷設されたコーナー部材１の上方に更に別のコーナー部材１を敷設し、更にこの新たなコーナー部材１の両側に壁材２を敷設する。これを繰り返すことにより、建物の隅部にコーナー部材１及び壁材２を敷設することができる。また、ある程度の数のコーナー部材１又は全てのコーナー部材１を下側から順次敷設していった後に、その両側に壁材２を下側から順次敷設していっても良い。
【００３３】
コーナー部材１を敷設するにあたっては、まず図４（ａ）に示すように建物の下地材３（本実施形態では柱３ａ）の下端部にスタータ金具２３ａを取り付ける。スタータ金具２３ａは下向き係止片１４は有さない以外は取付金具９ａと同様の構成のものを用いることができる。スタータ金具２３ａは前記下地材３の下端の外面側の二辺にそれぞれ配置される。このスタータ金具２３ａにビス等の固着具１６を貫通させると共にこの固着具１６を下地材３に打入することにより、スタータ金具２３ａが取り付けられる。
【００３４】
次に、スタータ金具２３ａにコーナー部材１を上方から近づけ、コーナー部材１の各側片６，６の下端の溝部２２にスタータ金具２３ａの上向き係止片１５を嵌合させることで、コーナー部材１を取り付ける。
【００３５】
次に、図４（ｂ）に示すように、上記コーナー部材１の各側片６，６の上方からそれぞれ取付金具９ａを近づけ、コーナー部材１の各側片６，６の上端の実部２０に下向き係止片１４をそれぞれ嵌合させる。これにより、取付金具９ａは下地材３とコーナー部材１との間に配置される。取付金具９ａの固定片１８はコーナー部材１の各側片６，６の上端から上方に突出した状態となる。
【００３６】
次に、取付金具９ａの固定片１８に設けられた取付孔１３にビス等の固着具１６を挿入して貫通させ、この固着具１６を下地材３に打入する。これにより、取付金具９ａが下地材３に固定され、取付金具９ａによりコーナー部材１が固定される。
【００３７】
上記コーナー部材１の上方に別のコーナー部材１を敷設する場合は、まず上記コーナー部材１の上方に、別のコーナー部材１を配置する。上下に隣り合うコーナー部材１は、下方のコーナー部材１の上端の実部２０と上方のコーナー部材１の下端の覆い部２１とが凹凸嵌合することにより接続すると共に、上側のコーナー部材１の下端の溝部２２に取付金具９ａの上向き係止片１５を嵌合させる。これにより、取付金具９ａにてコーナー部材１が支持される。この新たに取り付けられたコーナー部材１の上端を上記と同様にして取付金具９ａで支持することができる。
【００３８】
そして、この動作を繰り返すことで、コーナー部材１を下側から上側に順次敷設することができる。
【００３９】
また、壁材２を敷設するにあたっては、まず予め敷設されたコーナー部材１の両側において、建物の下地材３（本実施形態では柱３ａ）の下端部に、図５（ａ）に示すように適宜のスタータ金具２３ｂを取り付ける。スタータ金具２３ｂは下向き係止片１４を有さない以外は取付金具９ｂと同様の構成のものを用いることができる。スタータ金具２３ｂは前記下地材３の外面に配置される。このスタータ金具２３ｂにビス等の固着具１６を貫通させると共にこの固着具１６を下地材３に打入することにより、スタータ金具２３ｂが取り付けられる。
【００４０】
次に、スタータ金具２３ｂに壁材２を上方から近づけ、壁材２の下端の溝部２２にスタータ金具２３ｂの上向き係止片１５を嵌合させることで、壁材２を取り付ける。
【００４１】
このとき、壁材２のコーナー部材１側の側端部を、コーナー部材１の下実部４の外面側に重ねた状態で両者を突き合わせ、前記側端部をコーナー部材１の凹段部７に配置する。このとき、下実部４の外面と壁材２の側端部の裏面との間にシーリング材８を設けても良い。
【００４２】
次に、図５（ｂ）に示すように、上記壁材２の上方から取付金具９ｂを近づけ、壁材２の上端の実部２０に下向き係止片１４をそれぞれ嵌合させる。これにより、取付金具９ｂは下地材３と壁材２との間に配置される。取付金具９ｂの固定片１８は壁材２の上端から上方に突出した状態となる。
【００４３】
次に、取付金具９ｂの固定片１８に設けられた取付孔１３にビス等の固着具１６を挿入して貫通させ、この固着具１６を下地材３に打入する。これにより、取付金具９ｂが下地材３に固定され、取付金具９ｂにより壁材２が固定される。
【００４４】
上記壁材２の上方に別の壁材２を敷設する場合は、まず上記壁材２の上方に、別の壁材２を配置する。このときも、上記と同様に壁材２のコーナー部材１側の側端部を、コーナー部材１の下実部４の外面側に重ねた状態で両者を突き合わせ、前記側端部をコーナー部材１の凹段部７に配置するものであり、このとき、下実部４の外面と壁材２の側端部の裏面との間にシーリング材８を設けても良い。上下に隣り合う壁材２は、下方の壁材２の上端の実部２０と上方の壁材２の下端の覆い部２１とが凹凸嵌合することにより接続すると共に、上側の壁材２の下端の溝部２２に取付金具９ｂの上向き係止片１５を嵌合させる。これにより、取付金具９ｂにて壁材２が支持される。この新たに取り付けられた壁材２の上端を上記と同様にして取付金具９ｂで支持することができる。
【００４５】
そして、この動作を繰り返すことで、壁材２を下側から上側に順次敷設することができる。
【００４６】
このようにして形成される建物の出隅構造では、コーナー部材１と、これに隣接する壁材２との接続部分では、壁材２の側端部がコーナー部材１の下実部４の外面と重なるようになっていることから、両者の境界が壁材２の側端面と凹段部７の内面の間において建物の内外方向に向かい、壁材２の裏面と下実部４の外面との間で横方向に向かうこととなって、両者の接続部分を通じた水の浸入が阻害されることとなり、単にコーナー部材１と壁材２の側端面同士を突き合わせた場合と比べて、建物の外面側からこのコーナー部材１と壁材２との間を通じて内側に浸入しにくくなって、水密性が高いものとなる。特に上記のように両者の間にシーリング材８を設けると、前記水密性が一層高いものとなる。
【００４７】
また、コーナー部材１の厚みよりも薄い壁材２と建物の下地材３との間には隙間が形成されることとなり、この隙間が通気経路１９としての機能を発揮する。このとき、下地材３の外面と壁材２の裏面との間に介在する取付金具９ｂは、コーナー部材１を敷設するための取付金具９ａよりも厚みが大きいことから、下地材３の外面と壁材２の裏面との間の隙間を確保するスペーサ５としての機能を発揮することとなる。
【００４８】
また、このようにして構成される出隅構造の外観は、壁材２とコーナー部材１とが突き合わさって一体化した印象を与えることとなり、目地２５やシーリング材２６が露出することがなくなって、統一した外観を呈することとなる。特に、コーナー部材１と壁材２の各外面に同様の模様が付与されている場合には、模様の統一感を発揮させることができる。
【００４９】
更に、コーナー部材１の凹段部７の厚みと壁材２の厚みとを同一の厚みとし、或いはシーリング材８を設ける場合には壁材２の厚みをコーナー部材１の凹段部７の厚みからシーリング材８が設けられる分だけ薄い厚みとなるようにすることで、コーナー部材１の外面と壁材２の外面とを面一になるように形成することができ、外観の統一性を更に向上することができるものである。
【図面の簡単な説明】
【００５０】
【図１】本発明の実施の形態の一例を示す横断面図である。
【図２】同上の実施の形態におけるコーナー部材のための取付金具を示すものであり、（ａ）は正面図、（ｂ）は側面図、（ｃ）は平面図である。
【図３】同上の実施の形態における壁材のための取付金具を示すものであり、（ａ）は正面図、（ｂ）は側面図、（ｃ）は平面図である。
【図４】同上の実施の形態におけるコーナー部材の取付構造を示すものであり、（ａ）及び（ｂ）は縦断面図である。
【図５】同上の実施の形態における壁材の取付構造を示すものであり、（ａ）及び（ｂ）は縦断面図である。
【図６】従来技術の一例を示す横断面図である。
【符号の説明】
【００５１】
１  コーナー部材
２  壁材
３  下地材
４  下実部
５  スペーサ
【図１】
2008163601.tif 000003
【図２】
2008163601.tif 000004
【図３】
2008163601.tif 000005
【図４】
2008163601.tif 000006
【図５】
2008163601.tif 000007
【図６】
2008163601.tif 000008